(57)【要約】【課題】第１主平面を持つ第１パネル（４）と、第２主平面を持つ第２パネル（２）とを含む、パネルの組を提供する。【解決手段】第１パネルの第１縁部は、第２パネルの第２縁部に係止するように形成されており、第１主平面は第２主平面に対して本質的に垂直であり、第１及び第２の縁部は、第１主平面に対して垂直な第１方向（Ｄ１）及び第２主平面に対して垂直な第２方向（Ｄ２）で係止されている。第１縁部は、第１縁部に沿って長手方向に延びる縁部タング（２２）を含み、該縁部タング（２２）は、底縁部（４５）と、第１面（４３）と、第１面（４３）と反対側の第２面（４１）とを含む。縁部溝２１及び／又は縁部タング２２は、第３及び第４の縁部の縁部部分６２において吸収する力よりも大きな力を、長手方向中央部分６１において吸収するように構成されている、
2019510170.tif 000002
【特許請求の範囲】
【請求項１】
第１主平面を持つ第１パネル（４）と、第２主平面を持つ第２パネル（２）とを含み、前記第１パネルの第１縁部は、前記第２パネルの第２縁部に係止するように形成されており、前記第１主平面は前記第２主平面に対して本質的に垂直であり、前記第１及び第２の縁部は、前記第１主平面に対して垂直な第１方向（Ｄ１）及び前記第２主平面に対して垂直な第２方向（Ｄ２）で係止され、前記第１縁部は、前記第１縁部に沿って長手方向に延びる縁部タング（２２）を含み、該縁部タング（２２）は、底縁部（４５）と、第１面（４３）と、第１面（４３）と反対側の第２面（４１）とを含み、前記第２縁部は、前記第２縁部に沿って長手方向に延びる縁部溝（２１）を含み、前記縁部溝（２１）は、底部（４４）と、第１面（４２）と、第１面（４２）と反対側の第２面（４０）とを含み、前記縁部タング（２２）は、前記第１及び第２の縁部を前記第１方向（Ｄ１）で互いに係止するため、前記縁部溝（２１）と協働するように形成されている、パネルのセットにおいて、
前記縁部タング（２２）の前記第１面（４３）は、前記第１方向（Ｄ１）での前記係止のため、前記第１縁部及び前記第２縁部の長手方向中央部分のところで前記縁部溝（２１）の前記第１面（４２）と協働するように形成されており、
前記第１パネル（４）は、前記第１縁部と隣接した第３縁部（６５）を含み、前記第２パネル（２）は、前記第２縁部と隣接した第４縁部（６４）を含み、
前記縁部溝（２１）は前記第４縁部（６４）まで延びており、
前記縁部溝（２１）及び／又は前記縁部タング（２２）は、荷重（５８）が前記第１及び第２のパネル（４、２）に加わったとき、縁部部分（６２）の前記第１縁部及び前記第２縁部の前記第３縁部及び前記第４縁部によって吸収されるよりも大きな力が長手方向中央部分（６１）によって吸収されるように形成されている、請求項１に記載のパネルのセット。
【請求項２】
請求項１又は２に記載のパネルのセットにおいて、
前記縁部溝（２１）は、前記縁部部分（６２）のところに第１溝形状を有し、長手方向中央部分（６１）のところに第２溝形状を有し、前記第１溝形状は、前記第２溝形状と異なる、パネルのセット。
【請求項３】
請求項１又は２に記載のパネルのセットにおいて、
前記縁部タング（２２）は、前記縁部部分（６２）のところに第１タング形状を有し、前記長手方向中央部分（６１）のところに第２タング形状を有し、前記第１タング形状は前記第２タング形状と異なる、パネルのセット。
【請求項４】
請求項１乃至３のうちのいずれか一項に記載のパネルのセットにおいて、
前記縁部部分（６２）の長手方向長さは、前記縁部溝の前記長手方向で約５ｍｍ乃至約５０ｍｍの範囲内にあり、好ましくは約２０ｍｍである、パネルのセット。
【請求項５】
請求項１乃至４のうちのいずれか一項に記載のパネルのセットにおいて、
前記縁部タングの第３面（７１）は、前記第１及び第２の縁部が係止位置にある場合、縁部部分のところで、前記縁部溝の第３面（７２）から距離（５５）だけ離間するように形成されており、前記距離は、好ましくは約０．２ｍｍ乃至約２ｍｍの範囲内にあり、好ましくは約０．２ｍｍ乃至約０．５ｍｍであり、前記縁部タングの前記第３面（７１）は、前記第２方向（Ｄ２）で前記縁部タング（２２）の前記第１面（４３）と同じ位置にあり、かつ前記縁部タング（２２）の前記第１面（４３）と同じ側にあり、前記縁部溝（２１）の前記第３面（７２）は、前記第２方向（Ｄ２）で前記縁部溝（２１）の前記第１面（４２）と同じ位置にあり、かつ前記縁部溝（２１）の前記第１面（４２）と同じ側にある、パネルのセット。
【請求項６】
請求項１乃至５のうちのいずれか一項に記載のパネルのセットにおいて、
前記長手方向中央部分での及び前記縁部タング（２２）の前記第１面（４３）での前記縁部タング（２２）の第１厚さ（５２）は、前記縁部部分での及び前記第２方向（Ｄ２）での前記第１厚さ（５２）と同じ位置での前記縁部タング（２２）の第２厚さ（５４）よりも大きく、前記第１厚さと前記第２厚さとの差は、好ましくは約０．２ｍｍ乃至約２ｍｍの範囲内にあり、好ましくは約０．２ｍｍ乃至約０．５ｍｍである、パネルのセット。
【請求項７】
請求項１乃至６のうちのいずれか一項に記載のパネルのセットにおいて、
前記縁部部分（６２）での前記縁部溝（２１）の第１幅（５３）は、前記長手方向中央部分（６１）での前記縁部溝（２１）の第２幅（５１）よりも大きく、前記第２幅（５１）は、前記縁部溝（２１）の前記第１面（４２）のところにあり、前記第１幅（５３）は、前記第２方向（Ｄ２）で前記第２幅（５１）と同じ位置のところであり、前記第１幅（５３）と前記第２幅（５１）との差は、好ましくは約０．２ｍｍ乃至約２ｍｍの範囲内にあり、好ましくは約０．２ｍｍ乃至約０．５ｍｍである、パネルのセット。
【請求項８】
請求項１乃至７のうちのいずれか一項に記載のパネルのセットにおいて、
前記第１及び第２の縁部の係止位置において、前記縁部部分（６２）での前記底縁部（４５）と前記底部（４４）との間の第２距離（５６）は、前記長手方向中央部分（６１）での前記底縁部と前記底部との間の第１距離（５０）よりも大きい、パネルのセット。
【請求項９】
請求項１乃至４のうちのいずれか一項に記載のパネルのセットにおいて、
縁部タング（２２）は、前記長手方向中央部分（６１）に亘って延びており、前記縁部部分（６２）の手前で終端する、パネルのセット。
【請求項１０】
請求項１乃至９のうちのいずれか一項に記載のパネルのセットにおいて、
前記縁部タング（２２）の前記第１面（４３）及び縁部溝の前記第１面（４２）は、前記第１及び第２の縁部の係止位置で、前記第１及び第２の縁部の外隅部（６３）に対し、前記縁部タング（２２）の前記第２面（４１）及び前記縁部溝（２１）の前記第２面（４０）よりも近い、パネルのセット。
【請求項１１】
請求項１乃至１０のうちのいずれか一項に記載のパネルのセットにおいて、
前記縁部タング（２２）はタング溝（１０）を含み、前記縁部溝（２１）はタング（３０）を収納し、前記タングは、前記第１及び第２の縁部を前記第２方向（Ｄ２）で互いに係止するため、前記タング溝（１０）と協働するように形成されている、パネルのセット。
【請求項１２】
請求項１１に記載のパネルのセットにおいて、
前記タングは、挿入溝（２０）に配置された可撓性タング（３０）である、パネルのセット。
【請求項１３】
請求項１２に記載のパネルのセットにおいて、
前記挿入溝（２０）は、本質的に前記縁部溝（２１）の全長に沿って延びている、パネルのセット。
【請求項１４】
請求項１２又は１３に記載のパネルのセットにおいて、
前記可撓性タング（３０）は、前記挿入溝（２０）内で変位可能である、パネルのセット。
【請求項１５】
請求項１乃至１４のうちのいずれか一項に記載のパネルのセットにおいて、
前記縁部溝（２１）は、本質的に前記第２縁部の全長に沿って延びている、パネルのセット。
【請求項１６】
請求項１乃至１５のうちのいずれか一項に記載のパネルのセットにおいて、
前記第１及び第２のパネルのコア材料は、ＨＤＦ、ＭＤＦ、合板、無垢板、又はパーティクルボード等の木材繊維をベースとしたボード、又は強化プラスチックボード、又は木材繊維複合材料ボードでできている、パネルのセット。
【請求項１７】
請求項１６に記載のパネルのセットにおいて、
前記コアには装飾層が設けられている、パネルのセット。
【発明の詳細な説明】
【技術分野】
【０００１】
本発明の実施例は、互いに垂直に配置され、互いに係止されるように形成されたパネルに関する。これらのパネルは、互いに組み立て及び係止することにより、本棚、食器棚、洋服箪笥、箱、引き出し、又は家具部品等の家具製品を形成する。係止は、可撓性タングを含んでいてもよい。
【背景技術】
【０００２】
従来の家具製品は、複数のエレメント又はパネルによって組み立てられている。パネルは、例えばＷＯ２０１２／１５４１１３Ａ１に開示されているように、機械式係止システム３を用いて組み立てられてもよい。製品は、第２パネルに垂直に連結された第１パネルを含む。係止は、第１パネルの縁部タング、第２パネルの縁部溝、及び挿入溝内の可撓性タングを含む機械式係止システムによって行われる。
【０００３】
場合によっては、組み立て後に分解又は取り外しを行うのが望ましい場合がある。ＷＯ２０１５／０３８０５９には、挿入溝内の可撓性タングを含む機械式係止システムによって係止された複数のパネルによって組み立てられた製品が開示されている。機械式係止システムは、可撓性タングを挿入溝に押し込むことによりパネルの取り外しを容易にする取り外し工具によって係止解除されてもよい。
【０００４】
パネルは、一般的には、多数のフライス工具を含む連続機械的製造プロセスで製造される。縁部溝は、製造上の理由により、好ましくは、第２パネルの前縁部から後縁部まで連続的に延びている。前縁部の縁部溝の開口部は、例えばストリップによって覆われていてもよい。縁部溝は、後縁部に開口部を備えていてもよく、取り外し工具がこの開口部を通して挿入されてもよい。後縁部の開口部は、更に、縁部タングを縁部溝に対して変位することによって第１及び第２のパネルの組み立て又は分解を行うことができるという利点を備えていてもよい。
【０００５】
本発明の実施例は、特に縁部溝の開口部を含む後縁部で、強度が高い係止を行う必要を満たす。
【先行技術文献】
【特許文献】
【０００６】
【特許文献１】ＷＯ２０１２／１５４１１３Ａ１
【特許文献２】ＷＯ２０１５／０３８０５９
【発明の概要】
【発明が解決しようとする課題】
【０００７】
従って、本発明の実施例は、好ましくは、互いに係止するように形成された一組のパネルを単独で又は何らかの組み合わせで提供し、第１及び／又は第２のパネルに荷重が加わった場合に中央部分が縁部部分よりも大きな力を吸収するようにすることによって、当該技術分野における上述の不備、欠点、又は問題点を低減し、軽減し、又はなくそうとするものである。
【０００８】
本発明の実施例の別の目的は、強度及び安定性が向上した家具製品を提供することである。
【課題を解決するための手段】
【０００９】
以下の説明から明らかになるであろうこれらの及び他の目的及び利点の少なくとも幾つかは、第１主平面を持つ第１パネルと、第２主平面を持つ第２パネルとを含む、パネルのセットによって達成される。第１パネルの第１縁部は、第２パネルの第２縁部に係止するように形成されており、第１主平面は第２主平面に対して本質的に垂直であり、第１及び第２の縁部は、第１主平面に対して垂直な第１方向及び第２主平面に対して垂直な第２方向で係止されている。第１縁部は、第１縁部に沿って長手方向に延びる縁部タングを含む。この縁部タングは、底縁部と、第１面と、第１面と反対側の第２面とを含む。第２縁部は、第２縁部に沿って長手方向に延びる縁部溝を含み、この縁部溝は、底部と、第１面と、第一面と反対側の第２面とを含む。縁部タングは、第１及び第２の縁部を第１方向で互いに係止するため、縁部溝と協働するように形成されている。縁部タングの第１面は、第１方向での前記係止のため、第１縁部及び第２縁部の長手方向中央部分のところで縁部溝の第１面と協働するように形成されている。第１パネルは、第１縁部と隣接した第３縁部を含み、第２パネルは、第２縁部と隣接した第４縁部を含む。縁部溝は第４縁部まで延びている。第４縁部の縁部溝に開口部があると、荷重が加わった場合に縁部溝の外下部分のところで第４縁部に亀裂が生じる場合がるという欠点がある。縁部溝及び／又は縁部タングは、荷重が第１及び第２のパネルに加わったとき、縁部部分の第１縁部及び第２縁部の第３縁部及び第４縁部によって吸収されるよりも大きな力が長手方向中央部分のところで吸収されるように形成されており、これにより亀裂の発生を阻止し、係止強度を向上する。
【００１０】
縁部溝は、縁部部分に第１溝形状を有しており且つ、長手方向中央のところに第２溝形状を有していてもよい。
【００１１】
縁部タングは、縁部部分のところに第１タング形状を有してもよく、長手方向中央部分のところに第２タング形状を有してもよい。
【００１２】
縁部部分の長手方向長さは、縁部溝の長手方向で約５ｍｍ乃至約５０ｍｍの範囲内にあってもよく、好ましくは約２０ｍｍであってもよい
【００１３】
縁部タングの第３面は、第１及び第２の縁部が係止位置にある場合、縁部部分のところで、縁部溝の第３面から所定距離だけ離間するように形成されていてもよい。距離は、好ましくは約０．２ｍｍ乃至約２ｍｍの範囲内にあり、好ましくは約０．２ｍｍ乃至約０．５ｍｍである。縁部タングの第３面は、第２方向で及び縁部タングの同じ側で、縁部タングの第１面と同じ位置にあってもよい。縁部溝の第３面は、第２方向で及び縁部溝（２１）の同じ側で、縁部溝（２１）の第１面（４２）と同じ位置にあってもよい。
【００１４】
長手方向中央部分で及び縁部タングの第１面で縁部タングの第１厚さは、縁部タングの第２厚さよりも大きくてもよい。第２厚さは、縁部部分での及び第２方向での第１厚さと同じ位置での縁部タングの第２厚さであってもよい。第１厚さと第２厚さとの差は、好ましくは約０．２ｍｍ乃至約２ｍｍの範囲内にあり、好ましくは約０．２ｍｍ乃至約０．５ｍｍである。
【００１５】
縁部部分での縁部溝の第１幅は、長手方向中央部分での縁部溝の第２幅よりも大きくてもよい。第２幅は、縁部溝の第１面のところの幅であり、第１幅は、第２方向で第２幅と同じ位置のところの幅である。第１幅と第２幅との差は、好ましくは約０．２ｍｍ乃至約２ｍｍの範囲内にあり、好ましくは約０．２ｍｍ乃至約０．５ｍｍである。
【００１６】
第１及び第２の縁部の係止位置において、縁部部分での底縁部と底部との間の第２距離は、長手方向中央部分での底縁部と底部との間の第１距離よりも大きくてもよい。
【００１７】
縁部タングは、長手方向中央部分に亘って延びていてもよく、縁部部分の手前で終端してもよい。
【００１８】
縁部タングの第１面及び縁部溝の第１面は、好ましくは、第１及び第２の縁部の係止位置で、第１及び第２の縁部の外隅部に対し、縁部タングの第２面及び縁部溝の第２面よりも近い。
【００１９】
縁部タングはタング溝を含んでいてもよく、縁部溝はタングを収納していてもよい。前記タングは、第１及び第２の縁部を第２方向で互いに係止するため、前記タング溝と協働するように形成されていてもよい。
【００２０】
タングは、挿入溝に配置された可撓性タングであってもよい。
【００２１】
前記可撓性タングは、好ましくは、挿入溝内で変位可能である。
【００２２】
挿入溝は、本質的に縁部溝の全長に沿って延びていてもよい。
【００２３】
縁部溝は、本質的に第２縁部の全長に沿って延びていてもよい。
【００２４】
第１及び第２のパネルのコア材料は、ＨＤＦ、ＭＤＦ、合板、無垢板、又はパーティクルボード等の木材繊維をベースとしたボード、又は強化プラスチックボード、又は木材繊維複合材料ボードでできていてもよい。
【００２５】
コアには装飾層が設けられていてもよい。
【００２６】
第３及び第４の縁部が、家具製品の後縁部等の後縁部であってもよい。
【００２７】
第１縁部及び第２縁部は、縁部部分とは反対側の第２縁部部分を含んでいてもよい。第２縁部部分は、長手方向中央部分と同じ溝形状を備えていてもよく、及び／又は同じタング形状を備えていてもよい。
【００２８】
本発明の第２の態様は、第１の態様によるパネルの組を含む家具製品である。パネルの組は、家具製品のフレームの一部であってもよい。
【００２９】
本発明の実施例が可能なこれらの及び他の態様、特徴、及び利点は、添付図面を参照してなされた本発明の実施例の以下の説明から明らかになるであろう。
【図面の簡単な説明】
【００３０】
【図１Ａ】図１Ａは、本発明の一実施例の斜視図である。
【図１Ｂ】図１Ｂは、図１Ａで丸で囲った領域の拡大図である。
【図２Ａ】図２Ａは、本発明の一実施例の斜視図である。
【図２Ｂ】図２Ｂは、図２Ａで丸で囲った領域の拡大図である。
【図３Ａ】図３Ａは、本発明の一実施例の斜視図である。
【図３Ｂ】図３Ｂは、図３Ａで丸で囲った領域の拡大図である。
【図４Ａ】図４Ａは、本発明の一実施例の長手方向中央部分の一実施例の断面図である。
【図４Ｂ】図４Ｂは、図４Ａで丸で囲った領域の拡大図である。
【図５Ａ】図５Ａは、縁部タングがない、図４Ａの拡大図である。
【図５Ｂ】図５Ｂは、縁部タングがない、図４Ａの拡大図である。
【図６Ａ】図６Ａは、縁部部分の実施例を示す、本発明の一実施例の側面図である。
【図６Ｂ】図６Ｂは、縁部部分の実施例を示す、本発明の一実施例の側面図である。
【図７Ａ】図７Ａは、縁部部分の実施例を示す、本発明の一実施例の側面図である。
【図７Ｂ】図７Ｂは、縁部部分の実施例を示す、本発明の一実施例の側面図である。
【図８Ａ】図８Ａは、可撓性タングの一実施例を含む、本発明の一部を示す図である。
【図８Ｂ】図８Ｂは、可撓性タングの一実施例を含む、本発明の一部を示す図である。
【図８Ｃ】図８Ｃは、可撓性タングの一実施例を含む、本発明の一部を示す図である。
【図８Ｄ】図８Ｄは、可撓性タングの一実施例を含む、本発明の一部を示す図である。
【図８Ｅ】図８Ｅは、可撓性タングの一実施例を含む、本発明の一部を示す図である。
【図８Ｆ】図８Ｆは、可撓性タングの一実施例を含む、本発明の一部を示す図である。
【発明を実施するための形態】
【００３１】
次に、本発明の特定の実施例を添付図面を参照して説明する。しかしながら、本発明は、多くの様々な形態で実施されてもよく、本明細書中に記載された実施例に限定されると解釈されるべきではなく、むしろ、これらの実施例は、本開示が完璧であり、本発明の範囲を当業者に完全に伝えるために提供されたものである。添付図面に示す実施例の詳細な説明で使用された用語は、本発明を限定しようとするのではない。添付図面では、同様の要素に同じ参照番号が付してある。
【００３２】
第１及び第２のパネルの接合部に亀裂が発生する危険を低減する実施例を示す。
【００３３】
図１Ａ−図７Ｂに示す本発明の実施例は、第１主平面を持つ第１主パネル及び第２主平面を持つ第２主パネルを含むパネルのセットを含む。第１パネルの第１縁部は、第２パネルの第２縁部に係止するように形成されている。第１主平面は第２主平面に対して本質的に垂直であり、第１及び第２の縁部は、第１主平面に対して垂直な第１方向Ｄ１及び第２主平面に対して垂直な第２方向Ｄ２で係止される。第１縁部は、第１縁部に沿って長手方向に延びる縁部タング２２を含む。縁部タング２２は、底縁部４５と、第１面４３と、反対側の第２面４１を含む。第２縁部は、第２縁部に沿って長手方向に延びる縁部溝２１を含む。縁部溝２１は、底部４４と、第１面４２と、反対側の第２面４０を含む。縁部タング２２は、第１及び第２の縁部を第１方向Ｄ１で互いに係止するため、縁部溝２１と協働するように形成されている。縁部タング２２の第１面４３は、第１方向Ｄ１での前記係止を行うため、長手方向中央部で縁部溝２１の第１面４２と協働するように形成されている。第１パネル４は、第１縁部と隣接した第３縁部６５を含み、第２パネル２は、第２縁部と隣接した第４縁部６４を含む。縁部溝２１は、第４縁部６４まで延びている。縁部溝２１及び／又は縁部タング２２は、第１パネル４及び／又は第２パネル２に荷重５８が加わったとき、長手方向中央部６１によって吸収される力が、第３及び第４の縁部６３、６４のところで縁部部分６２によって吸収される力よりも大きいように形成されている。第３及び第４の縁部６３、６４は、家具製品の後縁部等の後縁部であってもよい。
【００３４】
図１Ａは、縁部部分６２のところが第１溝形状を有し、長手方向中央部分６１が第２溝形状を有する縁部溝の一実施例を示す。第１溝形状は、対応する位置で第２溝形状よりも広幅である。
【００３５】
第１縁部及び第２縁部は、縁部部分６２の反対側に第２縁部部分６６を含んでいてもよい。第２縁部部分６６は、長手方向中央部分６１と同じ溝形状及び／又は同じ長手方向形状を備えていてもよい。
【００３６】
図１Ｂは、図１Ａの丸で囲った領域の拡大図を示す。縁部溝は、第２縁部に沿ってフライス盤を変位し、及び比較的広幅の縁部部分のところでフライス盤を第１方向に変位することによって形成されてもよい。縁部タングは、縁部タングの長手方向で均等な形状を備えていてもよい。縁部部分の長手方向長さは、縁部溝の長手方向で、約５ｍｍ乃至約５０ｍｍの範囲内にあってもよく、好ましくは約２０ｍｍであってもよい。
【００３７】
図２Ａは、長手方向中央部分６１に亘って延び、縁部部分６２の手前で終端する縁部タングの一実施例を示す。図２Ｂは、図２Ａの丸で囲った領域の拡大図を示す。
【００３８】
縁部部分６２とは反対側の第２縁部部分６６は、長手方向中央部分６１及び縁部部分６２と異なる形状を備えていてもよい。例えば、第２縁部部分６６のタング形状は、縁部部分６２のタング形状と本質的に同じ形状であってもよい。しかしながら、第２縁部部分６６の溝形状は、長手方向中央部分６１及び縁部部分６２のいずれの溝形状とも異なっていてもよい。例えば、第２縁部部分６６の溝は、縁部の端部まで延びていなくてもよい。例えば、溝の端部は、第２縁部の端部から約５ｍｍ乃至約５０ｍｍ、好ましくは約２０ｍｍのところにあってもよい。
【００３９】
縁部タングは、フライス盤を第１縁部に沿って変位し、及びフライス盤を縁部部分のところで第１方向に変位することによって形成されてもよい。縁部部分の長手方向長さは、縁部タングの長手方向で約５ｍｍ乃至約５０ｍｍの範囲内にあってもよく、好ましくは約２０ｍｍであってもよい。
【００４０】
図３Ａは、縁部部分６２が第１タング形状で長手方向中央部分６１が第２タング形状の縁部タングの一実施例を示す。第１タング形状の厚さは、対応する位置で、第２タング形状の厚さよりも薄い。
【００４１】
縁部部分６２とは反対側の第２縁部部分６６は、長手方向中央部分６１と同じ溝形状及び／又はタング形状を備えていてもよい。
【００４２】
図３Ｂは、図３Ａの丸で囲った領域の拡大図である。縁部タングは、フライス盤を第１縁部に沿って変位することによって形成されてもよく、フライス盤を比較的薄い縁部部分のところで第１方向に変位することによって形成されてもよい。縁部溝の溝形状は、縁部タングの長手方向で均等であってもよい。縁部部分の長手方向長さは、縁部タングの長手方向で、約５ｍｍ乃至約５０ｍｍの範囲内にあってもよく、好ましくは約２０ｍｍであってもよい。
【００４３】
本発明の実施例は、特にコアの繊維が第２主平面と本質的に平行に配置された第２パネルの実施例について有利である。このような第２パネルは、亀裂が発生する危険が高い。
【００４４】
図４Ａは、第１パネル及び第２パネル２が係止位置にある長手方向中央部分６１の一実施例の断面図である。図４Ｂは、図４Ａの丸で囲った領域の拡大図である。縁部タング２２の第１面４３及び縁部溝の第１面４２は、縁部タング２２の第２面４１及び縁部溝２１の第２面４０よりも第１及び第２の縁部の外隅部６３に近い。底縁部４５及び底部４４は、互いから第１距離５０のところに位置決めされている。図４Ｂは、縁部タング２２の第１面４３が、第１方向Ｄ１での前記係止のため、縁部溝２１の第１面４２と協働していることを示す。第１方向Ｄ１で係止するため、縁部タング２２の第２面４１は、好ましくは、縁部溝２１の第２面４０と協働する。第１及び／又は第２のパネルに荷重５８、５８’、５８’’が加わった場合の縁部溝の下部分６７のところで亀裂の危険が最も大きい。亀裂は、第４縁部６４のところで最も起こり易い。その後、亀裂は第２縁部に沿って伝播する。縁部溝の縁部部分及び縁部タングに加わる荷重を小さくすることによって、亀裂の発生を阻止してもよい。
【００４５】
縁部タング２２はタング溝１０を含んでいてもよく、縁部溝２１はタング３０を含み、前記タングは、第１及び第２の縁部を第２方向Ｄ２で互いに係止するため、前記タング溝１０と協働するように形成されている。
【００４６】
タングは、好ましくは可撓性タング３０であり、挿入溝２０に配置されてもよい。
【００４７】
挿入溝２０は、本質的に縁部溝２１の全長に沿って延びていてもよい。
【００４８】
可撓性タング３０は、好ましくは挿入溝２０内で変位可能である。
【００４９】
縁部溝２１は、本質的に第２縁部の全長に沿って延びていてもよい。
【００５０】
図５Ａは、縁部タングがない状態での図４Ａの丸で囲った領域の拡大図である。この実施例は、縁部溝２１の長手方向中央部分６１が第２幅５１であり、縁部溝２１が第１面４２を含む。
【００５１】
図５Ｂは、縁部溝がない状態での図４Ａの丸で囲った領域の拡大図である。この実施例は、縁部タング２２の長手方向中央部分６１が第１厚さ５２であり、縁部タング２２が第１面４３を含む。
【００５２】
縁部部分６２の一実施例を図６Ａの断面図に示す。この実施例では、縁部タング２２の縁部部分は第２厚さ５４であり、同じ位置で第２方向Ｄ２は、第１厚さ５２である（図５Ｂ参照）。第１厚さは、第２厚さよりも大きい。第１厚さ５２と第２厚さ５４との間の差は、好ましくは約０．２ｍｍ乃至約２ｍｍであり、好ましくは約０．２ｍｍ乃至約０．５ｍｍである。
【００５３】
縁部部分６２の一実施例を図６Ｂの断面図に示す。この実施例は、縁部溝２１の縁部部分６２は、第１幅５３である。長手方向中央部分６１の第１幅５３は、縁部溝２１の第２幅５１よりも大きい（図５Ａ参照）。第１幅５３は、第２方向Ｄ２で、第２幅５１と同じ位置での幅である。第１幅５３と第２幅５１との間の差は、約０．２ｍｍ乃至約２ｍｍの範囲内にあってもよく、好ましくは約０．２ｍｍ乃至約０．５ｍｍである。
【００５４】
図６Ａ及び図６Ｂに示す実施例は、縁部タングの第３面７１を含む。縁部タングの第３面７１は、前記第１及び第２の縁部が係止位置にある場合に、前記縁部部分のところで前記縁部溝の第３面７２から距離５５だけ離間するように形成されている。この距離は、好ましくは約０．２ｍｍ乃至約２ｍｍの範囲内にあり、好ましくは約０．２ｍｍ乃至約０．５ｍｍである。縁部タングの第３面７１は、第２方向Ｄ２で前記縁部タング２２の第１面４３と同じ位置にあり、かつ縁部タング２２の第１面４３と同じ側にある。縁部溝２１の第３面７２は、第２方向Ｄ２で縁部溝２１の第１面４２と同じ位置にあり、且つ縁部溝２１の第１面４２と同じ側にある。
【００５５】
縁部部分の６２の一実施例を図７Ａの断面図に示す。底縁部４５及び底部４４は、互いから第２距離５６のところに位置決めされている。第２距離５６は、第１及び第２の縁部が係止位置にある場合、底縁部４５と底部４４との間の長手方向中央部分６１のところでの第１距離５０（図４Ｂ参照）よりも大きい。
【００５６】
縁部部分の６２の一実施例を図７Ｂの断面図に示す。この実施例では、好ましくはフライス加工等の機械的切除によって縁部タングがなくしてある。
【００５７】
上文中に説明した第１及び第２のパネルの実施例のコア材料は、ＨＤＦ、ＭＤＦ、合板、無垢板、又はパーティクルボード等の木材繊維をベースとしたボード、又は強化プラスチックボード、又は木材繊維複合材料ボードでできていてもよい。コアには装飾層が設けられていてもよい。
【００５８】
挿入溝２０内で変位可能な可撓性タング３０の一実施例を図８Ａ−図８Ｄに示す。図８Ａ及び図８Ｂは、係止位置の可撓性タング３０を示し、図８Ｃ及び図８Ｄは、第１パネル４及び第２パネル２の組み立て中の可撓性タング３０を示す。図８Ｂは、図８Ａの可撓性タング３０の断面を示す。図８Ｄは、図８Ｃの可撓性タング３０の断面を示す。可撓性タング３０は、曲げ可能突出部分２４を含む。可撓性タング３０と挿入溝２０の底壁との間に空間２３が設けられている。図８Ｃは、第１パネル４と第２パネル２との組み立て中に可撓性タング３０が挿入溝２０の底壁に向かって挿入溝２０に押し込まれていることを示す。可撓性タング３０は、第１パネル４と第２パネル８が係止位置に達したときにばね作用でその初期位置に戻る。好ましくは、各曲げ可能突出部分に凹所２５が配置されている。
【００５９】
可撓性タング３０は、第１変位面２６及び反対側の第２変位面２７を備えていてもよい。これらの変位面は、挿入溝２０の第３変位面２８及び第４変位面２９の夫々に沿って変位するように形成されている。
【００６０】
突出した曲げ可能部分２４がない可撓性タング３０の変形例を図８Ｅ及び図８Ｆに示す。図８Ｆは、図８Ｅに示す可撓性タング３０の断面を示す。この変形例は、図８Ａ−図８Ｄに示す実施例と同様の機能を果たすため、その長手方向で曲げ可能である。
【００６１】
上文中に説明したパネルのセットは、家具製品のフレーム等の部品であってもよい。
【符号の説明】
【００６２】
２    第２パネル
４    第１パネル
２１    縁部溝
２２    縁部タング
４０    第２面
４１    第２面
４２    第１面
４３    第１面
４４    底部
４５    底縁部
５８    荷重
６１    長手方向中央部分
６２    縁部部分
６４    第４縁部
６５    第３縁部
Ｄ１    第１方向
Ｄ２    第２方向
【図１Ａ】
2019510170.tif 000003
【図１Ｂ】
2019510170.tif 000004
【図２Ａ】
2019510170.tif 000005
【図２Ｂ】
2019510170.tif 000006
【図３Ａ】
2019510170.tif 000007
【図３Ｂ】
2019510170.tif 000008
【図４Ａ】
2019510170.tif 000009
【図４Ｂ】
2019510170.tif 000010
【図５Ａ】
2019510170.tif 000011
【図５Ｂ】
2019510170.tif 000012
【図６Ａ】
2019510170.tif 000013
【図６Ｂ】
2019510170.tif 000014
【図７Ａ】
2019510170.tif 000015
【図７Ｂ】
2019510170.tif 000016
【図８Ａ】
2019510170.tif 000017
【図８Ｂ】
2019510170.tif 000018
【図８Ｃ】
2019510170.tif 000019
【図８Ｄ】
2019510170.tif 000020
【図８Ｅ】
2019510170.tif 000021
【図８Ｆ】
2019510170.tif 000022
【国際調査報告】
2019510170.tif 000023
2019510170.tif 000024
2019510170.tif 000025
2019510170.tif 000026
2019510170.tif 000027